【手続補正書】
【提出日】平成22年2月22日(2010.2.22)
【手続補正１】
【補正対象書類名】特許請求の範囲
【補正対象項目名】全文
【補正方法】変更
【補正の内容】
【特許請求の範囲】
【請求項１】
操作者に対し表示を行う表示手段と、
前記表示手段の表示に対する前記操作者の操作を受け付ける受け付け手段と、
前記受け付け手段により受け付けた操作に基づき画像処理に関する指示を特定する指示特定手段と、
画像を光学的に読み取って画像データを取得する読み取り手段と、
前記読み取り手段により取得された画像データを処理する画像処理手段と、
前記読み取り手段により取得され前記画像処理手段により処理された画像データに基づく複写画像を媒体に形成する画像形成手段と、
装置の設置場所の地理情報を保持する地理情報保持手段と、
災害の発生に基づいて得られる災害情報を取得する取得手段と、
前記情報登録用フォームの型を保持する型保持手段と、
前記取得手段により取得された前記災害情報に基づいて前記型保持手段に保持されている前記情報登録用フォームの型を選択して読み出し、前記地理情報保持手段に保持されている前記地理情報に基づいて、災害に関して収集すべき情報を登録するための項目を読み出した当該型に記載した情報登録用フォームを生成するフォーム生成手段とを備え、
前記表示手段は、前記取得手段による前記災害情報の取得に応じて表示を変更して前記フォーム生成手段により生成された前記情報登録用フォームの前記画像形成手段による出力の指示を受け付け可能とすることを特徴とする画像処理装置。
【請求項２】
前記フォーム生成手段は、前記災害情報および前記地理情報に基づいて、周辺地域の地図を前記情報登録用フォームの型に付加することを特徴とする請求項１に記載の画像処理装置。
【請求項３】
前記フォーム生成手段は、前記災害情報および前記地理情報に基づいて、周辺地域の避難場所を示す情報を前記情報登録用フォームの型に付加することを特徴とする請求項１に記載の画像処理装置。
【請求項４】
前記フォーム生成手段は、前記災害情報および前記地理情報に基づいて、周辺の危険な場所を示す情報を前記情報登録用フォームの型に付加することを特徴とする請求項１に記載の画像処理装置。
【請求項５】
前記出力手段により出力された前記情報登録用フォームに前記項目に対する情報が記入された記入済み登録用画像を前記読み取り手段により読み取った場合に、読み取られた当該記入済み登録用画像から前記項目に対する情報を抽出し認識する情報認識手段と、
前記情報認識手段により認識された情報を登録サーバに送信する送信手段と
をさらに備えることを特徴とする請求項１に記載の画像処理装置。
【請求項６】
操作者に対し表示を行う表示手段と、
前記表示手段の表示に対する前記操作者の操作を受け付ける受け付け手段と、
前記受け付け手段により受け付けた操作に基づき画像処理に関する指示を特定する指示特定手段と、
画像を光学的に読み取って画像データを取得する読み取り手段と、
前記読み取り手段により取得された画像データを処理する画像処理手段と、
前記読み取り手段により取得され前記画像処理手段により処理された画像データに基づく複写画像を媒体に形成する画像形成手段と、
を備えた画像処理装置を制御するコンピュータを、
災害の発生に基づいて得られる災害情報を取得する取得手段と、
情報登録用フォームの型を保持する型保持手段から、前記取得手段により取得された前記災害情報に基づいて前記情報登録用フォームの型を選択して読み出し、前記取得手段による災害情報の取得に伴う所定のイベントに応じて、装置の設置場所の地理情報を保持する地理情報保持手段に保持されている当該地理情報に基づいて、災害に関して収集すべき情報を登録するための項目を読み出した当該型に記載した情報登録用フォームを生成するフォーム生成手段として機能させ、
前記取得手段による前記災害情報の取得に応じて前記表示手段の表示を変更して前記フォーム生成手段により生成された前記情報登録用フォームの前記画像形成手段による出力の指示を受け付ける機能を実現することを特徴とするプログラム。
【請求項７】
前記フォーム生成手段の機能として、前記災害情報および前記地理情報に基づいて、周辺地域の地図を前記情報登録用フォームの型に付加する処理を前記コンピュータに実行させることを特徴とする請求項６に記載のプログラム。
【請求項８】
前記フォーム生成手段の機能として、前記災害情報および前記地理情報に基づいて、周辺地域の避難場所を示す情報を前記情報登録用フォームの型に付加する処理を前記コンピュータに実行させることを特徴とする請求項６に記載のプログラム。
【請求項９】
前記フォーム生成手段の機能として、前記災害情報および前記地理情報に基づいて、周辺の危険な場所を示す情報を前記情報登録用フォームの型に付加する処理を前記コンピュータに実行させることを特徴とする請求項６に記載のプログラム。
【手続補正２】
【補正対象書類名】明細書
【補正対象項目名】０００７
【補正方法】変更
【補正の内容】
【０００７】
かかる技術的課題を解決するために、本発明が適用される画像処理装置は、操作者に対し表示を行う表示手段と、この表示手段の表示に対する操作者の操作を受け付ける受け付け手段と、この受け付け手段により受け付けた操作に基づき画像処理に関する指示を特定する指示特定手段と、画像を光学的に読み取って画像データを取得する読み取り手段と、この読み取り手段により取得された画像データを処理する画像処理手段と、読み取り手段により取得され画像処理手段により処理された画像データに基づく複写画像を媒体に形成する画像形成手段と、装置の設置場所の地理情報を保持する地理情報保持手段と、災害の発生に基づいて得られる災害情報を取得する取得手段と、情報登録用フォームの型を保持する型保持手段と、取得手段により取得された災害情報に基づいて型保持手段に保持されている情報登録用フォームの型を選択して読み出し、地理情報保持手段に保持されている地理情報に基づいて、災害に関して収集すべき情報を登録するための項目を記載した情報登録用フォームを生成するフォーム生成手段とを備える。そして、表示手段は、取得手段による災害情報の取得に応じて表示を変更してフォーム生成手段により生成された情報登録用フォームの画像形成手段による出力の指示を受け付け可能とする。
【手続補正３】
【補正対象書類名】明細書
【補正対象項目名】０００９
【補正方法】変更
【補正の内容】
【０００９】
また、上記の画像処理装置は、出力手段により出力された情報登録用フォームに項目に対する情報が記入された記入済み登録用画像を読み取り手段により読み取った場合に、読み取られた記入済み登録用画像から項目に対する情報を抽出し認識する情報認識手段と、情報認識手段により認識された情報を登録サーバに送信する送信手段とをさらに備える構成としても良い。
【手続補正４】
【補正対象書類名】明細書
【補正対象項目名】００１０
【補正方法】変更
【補正の内容】
【００１０】
また、上記の目的を達成する他の本発明は、操作者に対し表示を行う表示手段と、この表示手段の表示に対する操作者の操作を受け付ける受け付け手段と、この受け付け手段により受け付けた操作に基づき画像処理に関する指示を特定する指示特定手段と、画像を光学的に読み取って画像データを取得する読み取り手段と、この読み取り手段により取得された画像データを処理する画像処理手段と、読み取り手段により取得され画像処理手段により処理された画像データに基づく複写画像を媒体に形成する画像形成手段と、を備えた画像処理装置を制御するコンピュータを、災害の発生に基づいて得られる災害情報を取得する取得手段と、情報登録用フォームの型を保持する型保持手段から、取得手段により取得された災害情報に基づいて情報登録用フォームの型を選択して読み出し、取得手段による災害情報の取得に伴う所定のイベントに応じて、装置の設置場所の地理情報を保持する地理情報保持手段に保持されている地理情報に基づいて、災害に関して収集すべき情報を登録するための項目を読み出した当該型に記載した情報登録用フォームを生成するフォーム生成手段として機能させ、取得手段による災害情報の取得に応じて表示手段の表示を変更してフォーム生成手段により生成された情報登録用フォームの画像形成手段による出力の指示を受け付ける機能を実現するプログラムとしても実現される。
【手続補正５】
【補正対象書類名】明細書
【補正対象項目名】００１２
【補正方法】変更
【補正の内容】
【００１２】
請求項１に係る発明によれば、災害に関する情報を収集するための情報登録用フォームを生成する場合に、災害情報に応じて型を選択し、地理情報に基づいて登録項目の情報を付加する（埋め込む）ことで、収集する情報を装置が設置される場所に応じて個別に設定することができる。
請求項２に係る発明によれば、地理情報に基づく地図を提示することで、直感的に理解しやすい情報を提供できる。
請求項３に係る発明によれば、フォームに登録項目の情報を予め付加することで、記入者の負担を軽減できる。
請求項４に係る発明によれば、フォームに危険な場所の情報を付加することで、記入者に情報を提供できる。
請求項５に係る発明によれば、災害情報に応じて項目が設定された情報登録用フォームを出力し、災害に関する情報を収集して登録サーバに集約することができる。
請求項６に係る発明によれば、このプログラムを実装したコンピュータにおいて、災害に関する情報を収集するための情報登録用フォームを生成する場合に、災害情報に応じて型を選択し、情報を付加することで、収集する情報を装置が設置される場所に応じて個別に設定することができる。
請求項７に係る発明によれば、このプログラムを実装したコンピュータにおいて、地理情報に基づく地図を提示することで、直感的に理解しやすい情報を提供できる。
請求項８に係る発明によれば、このプログラムを実装したコンピュータにおいて、フォームに登録項目の情報を予め付加することで、記入者の負担を軽減することができる。
請求項９に係る発明によれば、このプログラムを実装したコンピュータにおいて、フォームに危険な場所の情報を付加することで、記入者に情報を提供することができる。